(57)【要約】  判定装置（１０１）は、太陽電池パネルを含む発電部の設置場所における天候情報を取得する取得部（８６）と、前記取得部（８６）により取得された前記天候情報に基づいて、前記発電部の異常判定に用いる基準を決定し、決定した前記基準を用いて前記異常判定を行う判定部（８１）とを備える。
2019187523.tif 000002
【特許請求の範囲】
【請求項１】
太陽電池パネルを含む発電部の設置場所における天候情報を取得する取得部と、  前記取得部により取得された前記天候情報に基づいて、前記発電部の異常判定に用いる基準を決定し、決定した前記基準を用いて前記異常判定を行う判定部とを備える、判定装置。
【請求項２】
前記取得部は、前記発電部の出力の計測結果を取得し、取得した前記計測結果に基づいて前記天候情報を作成する、請求項１に記載の判定装置。
【請求項３】
前記取得部は、前記計測結果を２回微分した結果に基づいて前記天候情報を作成する、請求項２に記載の判定装置。
【請求項４】
前記判定部は、前記天候情報に基づいて、複数の前記発電部を複数のグループに分類し、前記グループごとに前記基準を決定し、同じ前記グループに属する各前記発電部の出力の計測結果を、前記グループに対応する前記基準を用いて比較することにより前記異常判定を行う、請求項１から請求項３のいずれか１項に記載の判定装置。
【請求項５】
太陽電池パネルを含む発電部の出力の計測結果を取得する計測結果取得部と、  前記計測結果取得部により取得された前記計測結果に基づいて、前記発電部の設置場所における天候情報を作成する作成部とを備える、天候情報処理装置。
【請求項６】
判定装置における判定方法であって、  太陽電池パネルを含む発電部の設置場所における天候情報を取得するステップと、  取得した前記天候情報に基づいて、前記発電部の異常判定に用いる基準を決定するステップと、  決定した前記基準を用いて前記異常判定を行うステップとを含む、判定方法。
【請求項７】
天候情報処理装置における天候情報処理方法であって、  太陽電池パネルを含む発電部の出力の計測結果を取得するステップと、  取得した前記計測結果に基づいて、前記発電部の設置場所における天候情報を作成するステップとを含む、天候情報処理方法。
【発明の詳細な説明】
【技術分野】
【０００１】  本発明は、判定装置、天候情報処理装置、判定方法および天候情報処理方法に関する。  この出願は、２０１８年３月２７日に出願された日本出願特願２０１８−５９４５７号を基礎とする優先権を主張し、その開示のすべてをここに取り込む。
【背景技術】
【０００２】  特開２０１２−２０５０７８号公報（特許文献１）には、以下のような太陽光発電用監視システムが開示されている。すなわち、太陽光発電用監視システムは、複数の太陽電池パネルからの出力を集約して電力変換装置に送り込む太陽光発電システムについて、前記太陽電池パネルの発電状況を監視する太陽光発電用監視システムであって、前記複数の太陽電池パネルからの出力電路が集約された場所に設けられ、各太陽電池パネルの発電量を計測する計測装置と、前記計測装置に接続され、前記計測装置による発電量の計測データを送信する機能を有する下位側通信装置と、前記下位側通信装置から送信される前記計測データを受信する機能を有する上位側通信装置と、前記上位側通信装置を介して前記太陽電池パネルごとの前記計測データを収集する機能を有する管理装置とを備える。前記管理装置は、前記各太陽電池パネルについての、同一時点における発電量の差に基づいて異常の有無を判定するか、または前記各太陽電池パネルについての、所定期間の発電量の最大値又は積算値に基づいて異常の有無を判定する。
【先行技術文献】
【特許文献】
【０００３】
【特許文献１】特開２０１２−２０５０７８号公報
【発明の概要】
【０００４】  （１）本開示の判定装置は、太陽電池パネルを含む発電部の設置場所における天候情報を取得する取得部と、前記取得部により取得された前記天候情報に基づいて、前記発電部の異常判定に用いる基準を決定し、決定した前記基準を用いて前記異常判定を行う判定部とを備える。
【０００５】  （５）本開示の天候情報処理装置は、太陽電池パネルを含む発電部の出力の計測結果を取得する計測結果取得部と、前記計測結果取得部により取得された前記計測結果に基づいて、前記発電部の設置場所における天候情報を作成する作成部とを備える。
【０００６】  （６）本開示の判定方法は、判定装置における判定方法であって、太陽電池パネルを含む発電部の設置場所における天候情報を取得するステップと、取得した前記天候情報に基づいて、前記発電部の異常判定に用いる基準を決定するステップと、決定した前記基準を用いて前記異常判定を行うステップとを含む。
【０００７】  （７）本開示の天候情報処理方法は、天候情報処理装置における天候情報処理方法であって、太陽電池パネルを含む発電部の出力の計測結果を取得するステップと、取得した前記計測結果に基づいて、前記発電部の設置場所における天候情報を作成するステップとを含む。
【０００８】  本開示の一態様は、このような特徴的な処理部を備える判定装置として実現され得るだけでなく、かかる特徴的な処理をコンピュータに実行させるためのプログラムとして実現され得る。また、本開示の一態様は、判定装置の一部または全部を実現する半導体集積回路として実現され得たり、判定装置を含む判定システムとして実現され得る。
【０００９】  また、本開示の一態様は、このような特徴的な処理部を備える天候情報処理装置として実現され得るだけでなく、かかる特徴的な処理をコンピュータに実行させるためのプログラムとして実現され得る。また、本開示の一態様は、天候情報処理装置の一部または全部を実現する半導体集積回路として実現され得たり、天候情報処理装置を含む天候情報処理システムとして実現され得る。
【図面の簡単な説明】
【００１０】
【図１】図１は、本発明の実施の形態に係る太陽光発電システムの構成を示す図である。
【図２】図２は、本発明の実施の形態に係るＰＣＳユニットの構成を示す図である。
【図３】図３は、本発明の実施の形態に係る集電ユニットの構成を示す図である。
【図４】図４は、本発明の実施の形態に係る太陽電池ユニットの構成を示す図である。
【図５】図５は、本発明の実施の形態に係る監視システムの構成を示す図である。
【図６】図６は、本発明の実施の形態に係る監視システムにおける監視装置の構成を示す図である。
【図７】図７は、本発明の実施の形態に係る監視システムにおける判定装置の構成を示す図である。
【図８】図８は、本発明の実施の形態に係る監視システムにおける判定装置が保持する監視情報の一例を示す図である。
【図９】図９は、本発明の実施の形態に係る判定装置における作成部により作成される発電電力データの一例を示す図である。
【図１０】図１０は、本発明の実施の形態に係る判定装置における作成部により作成される１回微分データの一例を示す図である。
【図１１】図１１は、本発明の実施の形態に係る判定装置における作成部により作成される２回微分データの一例を示す図である。
【図１２】図１２は、本発明の実施の形態に係る判定装置における作成部により作成される発電電力データの他の一例を示す図である。
【図１３】図１３は、本発明の実施の形態に係る判定装置における作成部により作成される１回微分データの他の一例を示す図である。
【図１４】図１４は、本発明の実施の形態に係る判定装置における作成部により作成される２回微分データの他の一例を示す図である。
【図１５】図１５は、本発明の実施の形態に係る判定装置における作成部により作成される発電電力データおよび２回微分データの他の一例を示す図である。
【図１６】図１６は、本発明の実施の形態に係る判定装置における判定部による異常判定を説明するための図である。
【図１７】図１７は、本発明の実施の形態に係る判定装置の動作手順を定めたフローチャートである。
【図１８】図１８は、本発明の実施の形態の変形例に係る天候情報処理装置の構成を示す図である。
【図１９】図１９は、本発明の実施の形態の変形例に係る天候情報処理装置の動作手順を定めたフローチャートである。
【発明を実施するための形態】
【００１１】  近年、太陽光発電システムを監視して異常を判別するための技術が開発されている。
【００１２】  ［本開示が解決しようとする課題］  太陽電池パネルを含む発電部の発電量は天候による影響を受けるため、発電部の設置場所における天候を把握して、より有効に利用することのできる技術が望まれる。
【００１３】  本開示は、上述の課題を解決するためになされたもので、その目的は、太陽電池パネルを含む発電部の設置場所における天候をより有効に利用することができる判定装置、天候情報処理装置、判定方法および天候情報処理方法を提供することである。
【００１４】  ［本開示の効果］  本開示によれば、太陽電池パネルを含む発電部の設置場所における天候をより有効に利用することができる。
【００１５】  ［本願発明の実施形態の説明］  最初に、本発明の実施形態の内容を列記して説明する。
【００１６】  （１）本発明の実施の形態に係る判定装置は、太陽電池パネルを含む発電部の設置場所における天候情報を取得する取得部と、前記取得部により取得された前記天候情報に基づいて、前記発電部の異常判定に用いる基準を決定し、決定した前記基準を用いて前記異常判定を行う判定部とを備える。
【００１７】  このような構成により、発電部の設置場所における天候に応じた内容の基準を用いて発電部の異常判定を行うことができるため、異常判定の精度を向上させることができる。したがって、太陽電池パネルを含む発電部の設置場所における天候をより有効に利用することができる。
【００１８】  （２）好ましくは、前記取得部は、前記発電部の出力の計測結果を取得し、取得した前記計測結果に基づいて前記天候情報を作成する。
【００１９】  このように、発電部の発電実績に基づいて天候情報を作成する構成により、外部サーバから送信された天候情報などを取得する場合と比較して、当該発電部の設置場所におけるより正確な天候情報を取得することができる。
【００２０】  （３）より好ましくは、前記取得部は、前記計測結果を２回微分した結果に基づいて前記天候情報を作成する。
【００２１】  このような構成により、発電部が発電電力を安定して出力しているか否かを容易に確認することができる。
【００２２】  （４）好ましくは、前記判定部は、前記天候情報に基づいて、複数の前記発電部を複数のグループに分類し、前記グループごとに前記基準を決定し、同じ前記グループに属する各前記発電部の出力の計測結果を、前記グループに対応する前記基準を用いて比較することにより前記異常判定を行う。
【００２３】  このように、天候による発電電力への影響が同様である発電部同士を比較して異常判定を行う構成により、複雑な演算処理を行うことなく、異常判定の精度を向上させることができる。
【００２４】  （５）本発明の実施の形態に係る天候情報処理装置は、太陽電池パネルを含む発電部の出力の計測結果を取得する計測結果取得部と、前記計測結果取得部により取得された前記計測結果に基づいて、前記発電部の設置場所における天候情報を作成する作成部とを備える。
【００２５】  このような構成により、たとえば、発電部の出力の計測結果に基づいて、当該発電部が発電電力を安定して出力しているか否かを確認することにより、より正確な天候情報を作成することができる。このため、より正確な天候情報を外部サーバ等へ送信することができる。したがって、太陽電池パネルを含む発電部の設置場所における天候をより有効に利用することができる。
【００２６】  （６）本発明の実施の形態に係る判定方法は、判定装置における判定方法であって、太陽電池パネルを含む発電部の設置場所における天候情報を取得するステップと、取得した前記天候情報に基づいて、前記発電部の異常判定に用いる基準を決定するステップと、決定した前記基準を用いて前記異常判定を行うステップとを含む。
【００２７】  このような方法により、発電部の設置場所における天候に応じた内容の基準を用いて発電部の異常判定を行うことができるため、異常判定の精度を向上させることができる。したがって、太陽電池パネルを含む発電部の設置場所における天候をより有効に利用することができる。
【００２８】  （７）本発明の実施の形態に係る天候情報処理方法は、天候情報処理装置における天候情報処理方法であって、太陽電池パネルを含む発電部の出力の計測結果を取得するステップと、取得した前記計測結果に基づいて、前記発電部の設置場所における天候情報を作成するステップとを含む。
【００２９】  このような方法により、たとえば、発電部の出力の計測結果に基づいて、当該発電部が発電電力を安定して出力しているか否かを確認することにより、より正確な天候情報を作成することができる。このため、より正確な天候情報を外部サーバ等へ送信することができる。したがって、太陽電池パネルを含む発電部の設置場所における天候をより有効に利用することができる。
【００３０】  以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００３１】＜構成および基本動作＞［太陽光発電システムの構成］  図１は、本発明の実施の形態に係る太陽光発電システムの構成を示す図である。
【００３２】  図１を参照して、太陽光発電システム４０１は、４つのＰＣＳ（Ｐｏｗｅｒ  Ｃｏｎｄｉｔｉｏｎｉｎｇ  Ｓｕｂｓｙｓｔｅｍ）ユニット８０と、キュービクル６とを備える。キュービクル６は、銅バー７３を含む。
【００３３】  図１では、４つのＰＣＳユニット８０を代表的に示しているが、さらに多数または少数のＰＣＳユニット８０が設けられてもよい。
【００３４】  図２は、本発明の実施の形態に係るＰＣＳユニットの構成を示す図である。
【００３５】  図２を参照して、ＰＣＳユニット８０は、４つの集電ユニット６０と、ＰＣＳ（電力変換装置）８とを備える。ＰＣＳ８は、銅バー７と、電力変換部９とを含む。
【００３６】  図２では、４つの集電ユニット６０を代表的に示しているが、さらに多数または少数の集電ユニット６０が設けられてもよい。
【００３７】  図３は、本発明の実施の形態に係る集電ユニットの構成を示す図である。
【００３８】  図３を参照して、集電ユニット６０は、４つの太陽電池ユニット７４と、集電箱７１とを含む。集電箱７１は、銅バー７２を有する。
【００３９】  図３では、４つの太陽電池ユニット７４を代表的に示しているが、さらに多数または少数の太陽電池ユニット７４が設けられてもよい。
【００４０】  図４は、本発明の実施の形態に係る太陽電池ユニットの構成を示す図である。
【００４１】  図４を参照して、太陽電池ユニット７４は、４つの発電部７８と、接続箱７６とを含む。発電部７８は、太陽電池パネルを有する。接続箱７６は、銅バー７７を有する。
【００４２】  図４では、４つの発電部７８を代表的に示しているが、さらに多数または少数の発電部７８が設けられてもよい。
【００４３】  発電部７８は、この例では４つの太陽電池パネル７９Ａ，７９Ｂ，７９Ｃ，７９Ｄが直列接続されたストリングである。以下、太陽電池パネル７９Ａ，７９Ｂ，７９Ｃ，７９Ｄの各々を、太陽電池パネル７９とも称する。
【００４４】  図４では、４つの太陽電池パネル７９を代表的に示しているが、さらに多数または少数の太陽電池パネル７９が設けられてもよい。
【００４５】  太陽光発電システム４０１では、複数の発電部７８からの出力ラインおよび集約ラインすなわち電力線がそれぞれキュービクル６に電気的に接続される。
【００４６】  より詳細には、発電部７８の出力ライン１は、発電部７８に接続された第１端と、銅バー７７に接続された第２端とを有する。各出力ライン１は、銅バー７７を介して集約ライン５に集約される。銅バー７７は、たとえば接続箱７６の内部に設けられている。
【００４７】  発電部７８は、太陽光を受けると、受けた太陽光のエネルギーを直流電力に変換し、変換した直流電力を出力ライン１へ出力する。
【００４８】  図３および図４を参照して、集約ライン５は、対応の太陽電池ユニット７４における銅バー７７に接続された第１端と、銅バー７２に接続された第２端とを有する。各集約ライン５は、銅バー７２を介して集約ライン２に集約される。銅バー７２は、たとえば集電箱７１の内部に設けられている。
【００４９】  図１〜図４を参照して、太陽光発電システム４０１では、上述のように複数の発電部７８からの各出力ライン１が集約ライン５に集約され、各集約ライン５が集約ライン２に集約され、各集約ライン２が集約ライン４に集約され、各集約ライン４がキュービクル６に電気的に接続される。
【００５０】  より詳細には、各集約ライン２は、対応の集電ユニット６０における銅バー７２に接続された第１端と、銅バー７に接続された第２端とを有する。ＰＣＳ８において、内部ライン３は、銅バー７に接続された第１端と、電力変換部９に接続された第２端とを有する。
【００５１】  ＰＣＳ８において、電力変換部９は、たとえば、各発電部７８において発電された直流電力を出力ライン１、銅バー７７、集約ライン５、銅バー７２、集約ライン２、銅バー７および内部ライン３経由で受けると、受けた直流電力を交流電力に変換して集約ライン４へ出力する。
【００５２】  集約ライン４は、電力変換部９に接続された第１端と、銅バー７３に接続された第２端とを有する。
【００５３】  キュービクル６において、各ＰＣＳ８における電力変換部９から各集約ライン４へ出力された交流電力は、銅バー７３を介して系統へ出力される。
【００５４】［監視システム３０１の構成］  図５は、本発明の実施の形態に係る監視システムの構成を示す図である。
【００５５】  図５を参照して、太陽光発電システム４０１は、監視システム３０１を備える。監視システム３０１は、判定装置１０１と、複数の監視装置１１１と、収集装置１５１とを含む。
【００５６】  図５では、１つの集電ユニット６０に対応して設けられた４つの監視装置１１１を代表的に示しているが、さらに多数または少数の監視装置１１１が設けられてもよい。また、監視システム３０１は、１つの収集装置１５１を備えているが、複数の収集装置１５１を備えてもよい。
【００５７】  監視システム３０１では、子機である監視装置１１１におけるセンサの情報が、収集装置１５１へ定期的または不定期に伝送される。
【００５８】  監視装置１１１は、たとえば集電ユニット６０に設けられている。より詳細には、監視装置１１１は、４つの太陽電池ユニット７４にそれぞれ対応して４つ設けられている。各監視装置１１１は、たとえば、対応の出力ライン１および集約ライン５に電気的に接続されている。
【００５９】  監視装置１１１は、対応の太陽電池ユニット７４における各出力ライン１の電流をセンサにより計測する。また、監視装置１１１は、対応の太陽電池ユニット７４における各出力ライン１の電圧をセンサにより計測する。
【００６０】  収集装置１５１は、たとえばＰＣＳ８の近傍に設けられている。より詳細には、収集装置１５１は、ＰＣＳ８に対応して設けられ、信号線４６を介して銅バー７に電気的に接続されている。
【００６１】  監視装置１１１および収集装置１５１は、集約ライン２，５を介して電力線通信（ＰＬＣ：Ｐｏｗｅｒ  Ｌｉｎｅ  Ｃｏｍｍｕｎｉｃａｔｉｏｎ）を行うことにより情報の送受信を行う。
【００６２】  より詳細には、各監視装置１１１は、対応の出力ラインの電流および電圧の計測結果を示す監視情報を送信する。収集装置１５１は、各監視装置１１１の計測結果を収集する。
【００６３】［監視装置１１１の構成］  図６は、本発明の実施の形態に係る監視システムにおける監視装置の構成を示す図である。図６では、出力ライン１、集約ライン５および銅バー７７がより詳細に示されている。
【００６４】  図６を参照して、出力ライン１は、プラス側出力ライン１ｐと、マイナス側出力ライン１ｎとを含む。集約ライン５は、プラス側集約ライン５ｐと、マイナス側集約ライン５ｎとを含む。銅バー７７は、プラス側銅バー７７ｐと、マイナス側銅バー７７ｎとを含む。
【００６５】  図示しないが、図３に示す集電箱７１における銅バー７２は、プラス側集約ライン５ｐおよびマイナス側集約ライン５ｎにそれぞれ対応して、プラス側銅バー７２ｐおよびマイナス側銅バー７２ｎを含む。
【００６６】  プラス側出力ライン１ｐは、対応の発電部７８に接続された第１端と、プラス側銅バー７７ｐに接続された第２端とを有する。マイナス側出力ライン１ｎは、対応の発電部７８に接続された第１端と、マイナス側銅バー７７ｎに接続された第２端とを有する。
【００６７】  プラス側集約ライン５ｐは、プラス側銅バー７７ｐに接続された第１端と、集電箱７１におけるプラス側銅バー７２ｐに接続された第２端とを有する。マイナス側集約ライン５ｎは、マイナス側銅バー７７ｎに接続された第１端と、集電箱７１におけるマイナス側銅バー７２ｎに接続された第２端とを有する。
【００６８】  監視装置１１１は、検出処理部１１と、４つの電流センサ１６と、電圧センサ１７と、通信部１４とを備える。なお、監視装置１１１は、出力ライン１の数に応じて、さらに多数または少数の電流センサ１６を備えてもよい。
【００６９】  監視装置１１１は、たとえば、発電部７８の近傍に設けられている。具体的には、監視装置１１１は、たとえば、計測対象の出力ライン１が接続された銅バー７７が設けられた接続箱７６の内部に設けられている。なお、監視装置１１１は、接続箱７６の外部に設けられてもよい。
【００７０】  監視装置１１１は、たとえば、プラス側集約ライン５ｐおよびマイナス側集約ライン５ｎとそれぞれプラス側電源線２６ｐおよびマイナス側電源線２６ｎを介して電気的に接続されている。以下、プラス側電源線２６ｐおよびマイナス側電源線２６ｎの各々を、電源線２６とも称する。
【００７１】  各監視装置１１１は、対応の発電部７８に関する計測結果を示す監視情報を、自己および収集装置１５１に接続される電力線を介して送信する。
【００７２】  詳細には、監視装置１１１における通信部１４は、集約ラインを介した電力線通信を、複数の監視装置１１１の計測結果を収集する収集装置１５１と行うことが可能である。より詳細には、通信部１４は、集約ライン２，５経由で情報を送受信することが可能である。具体的には、通信部１４は、電源線２６および集約ライン２，５を介して収集装置１５１と電力線通信を行う。
【００７３】  検出処理部１１は、たとえば、対応の出力ライン１の電流および電圧の計測結果を示す監視情報を所定時間ごとに作成するように設定されている。
【００７４】  電流センサ１６は、出力ライン１の電流を計測する。より詳細には、電流センサ１６は、たとえば、ホール素子タイプの電流プローブである。電流センサ１６は、監視装置１１１の図示しない電源回路から受けた電力を用いて、対応のマイナス側出力ライン１ｎを通して流れる電流を６秒ごとに計測し、計測結果を示す信号を検出処理部１１へ出力する。なお、電流センサ１６は、プラス側出力ライン１ｐを通して流れる電流を計測してもよい。
【００７５】  電圧センサ１７は、出力ライン１の電圧を計測する。より詳細には、電圧センサ１７は、プラス側銅バー７７ｐおよびマイナス側銅バー７７ｎ間の電圧を６秒ごとに計測し、計測結果を示す信号を検出処理部１１へ出力する。
【００７６】  検出処理部１１は、電流センサ１６および電圧センサ１７からそれぞれ受けた信号の示す計測結果、対応の電流センサ１６のＩＤ（以下、電流センサＩＤとも称する。）、電圧センサ１７のＩＤ（以下、電圧センサＩＤとも称する。）、および自己の監視装置１１１のＩＤ（以下、監視装置ＩＤとも称する。）を含む監視情報を作成する。
【００７７】  また、検出処理部１１は、たとえば、電流センサＩＤごとすなわち発電部７８ごとに、電流値と電圧値とを乗じることにより、発電部７８の出力の計測結果として、発電電力を算出する。そして、検出処理部１１は、算出した発電電力を監視情報に含める。
【００７８】  また、検出処理部１１は、送信元ＩＤが自己の監視装置ＩＤであり、送信先ＩＤが収集装置１５１のＩＤであり、データ部分が監視情報である監視情報パケットを作成する。そして、検出処理部１１は、作成した監視情報パケットを通信部１４へ出力する。なお、検出処理部１１は、監視情報パケットにシーケンス番号を含めてもよい。
【００７９】  通信部１４は、検出処理部１１から受ける監視情報パケットを収集装置１５１へ送信する。
【００８０】  再び図５を参照して、収集装置１５１は、集約ライン２，５経由で情報を送受信することが可能である。具体的には、収集装置１５１は、たとえば、信号線４６および集約ライン２，５を介して監視装置１１１と電力線通信を行い、監視情報パケットを複数の監視装置１１１から受信する。
【００８１】  収集装置１５１は、カウンタおよび記憶部を有しており、監視装置１１１から監視情報パケットを受信すると、受信した監視情報パケットから監視情報を取得するとともに、カウンタにおけるカウント値を受信時刻として取得する。そして、収集装置１５１は、受信時刻を監視情報に含めた後、図示しない記憶部に当該監視情報を保存する。
【００８２】  より詳細には、上記カウンタは、たとえば、毎日の午前０時においてカウント値をリセットし、監視装置１１１の計測周期である６秒が経過するたびにカウント値をインクリメントする。この場合、収集装置１５１は、カウント値をインクリメントしたタイミングから６秒経過するまでの間に複数の監視装置１１１からそれぞれ複数の監視情報パケットを受信すると、これら複数の監視情報パケットの各々から取得した監視情報に現在の同一のカウント値を受信時刻として含める。
【００８３】［判定装置１０１の構成］  図７は、本発明の実施の形態に係る監視システムにおける判定装置の構成を示す図である。
【００８４】  図７を参照して、判定装置１０１は、判定部８１と、通信処理部８４と、記憶部８５と、取得部８６とを備える。取得部８６は、計測結果取得部８２と、作成部８３とを含む。
【００８５】  （ａ）計測結果取得部、通信処理部および記憶部  記憶部８５には、たとえば、監視システム３０１における各監視装置１１１のＩＤ、すなわち監視装置ＩＤが登録されている。また、記憶部８５には、監視装置ＩＤと当該監視装置ＩＤを有する監視装置１１１に含まれる各センサのＩＤ、すなわち電流センサＩＤおよび電圧センサＩＤとの対応関係Ｒ１が登録されている。
【００８６】  判定装置１０１は、監視情報を収集装置１５１から定期的に取得し、取得した監視情報を処理する。なお、判定装置１０１は、たとえば収集装置１５１に内蔵される構成であってもよいし、図６に示す監視装置１１１に内蔵される構成であってもよい。また、判定装置１０１は、ネットワークを介して収集装置１５１等の他の装置と情報の送受信を行うサーバであってもよい。
【００８７】  より詳細には、判定装置１０１における通信処理部８４は、指定された処理タイミング、たとえば毎日の午前０時において監視情報の収集処理を行う。なお、判定装置１０１が収集装置１５１に内蔵される場合、より短い間隔で監視情報を容易に収集することができる。
【００８８】  より詳細には、通信処理部８４は、処理タイミングが到来すると、記憶部８５に登録されている各監視装置ＩＤを参照し、参照した各監視装置ＩＤに対応し、処理タイミングの２４時間前から当該処理タイミングまで（以下、処理日とも称する。）に属する受信時刻を含む監視情報を要求するための監視情報要求を収集装置１５１へ送信する。
【００８９】  収集装置１５１は、判定装置１０１から監視情報要求を受信すると、受信した監視情報要求に従って、監視情報要求の内容を満足する１または複数の監視情報を判定装置１０１へ送信する。
【００９０】  図８は、本発明の実施の形態に係る監視システムにおける判定装置が保持する監視情報の一例を示す図である。
【００９１】  図８を参照して、通信処理部８４は、監視情報要求の応答として収集装置１５１から１または複数の監視情報を受信すると、受信した１または複数の監視情報を、取得部８６における計測結果取得部８２へ出力する。
【００９２】  計測結果取得部８２は、通信処理部８４から出力された１または複数の監視情報を受けて、たとえば、各監視情報に受信時刻を含めて記憶部８５に保存するとともに、処理完了通知を作成部８３へ出力する。
【００９３】  （ｂ）作成部  作成部８３は、計測結果取得部８２から出力された処理完了通知を受けて、発電部７８の設置場所における天候を示す天候情報を取得する。
【００９４】  より詳細には、作成部８３は、たとえば、処理完了通知を受けると、記憶部８５に保存されている複数の監視情報を参照して、発電部７８ごとに、処理日における発電電力の総和を算出する。そして、作成部８３は、たとえば、算出した総和が最も大きい発電部７８を選択する。以下、作成部８３により選択される発電部７８を「対象発電部７８」とも称する。
【００９５】  また、作成部８３は、記憶部８５に保存されている複数の監視情報を参照して、処理日における対象発電部７８の発電電力の時系列変化を示す発電電力データを作成する。そして、作成部８３は、作成した発電電力データに基づいて、対象発電部７８の設置場所における天候を推定する。
【００９６】  （例１）  図９は、本発明の実施の形態に係る判定装置における作成部により作成される発電電力データの一例を示す図である。図９において、横軸は時間を示し、縦軸は処理日における対象発電部７８の発電電力の最大値に対する、対象発電部７８の発電電力の割合を示す。
【００９７】  図９を参照して、作成部８３は、作成した発電電力データを示すグラフＧｓ１を微分する、すなわち対象発電部７８の出力の計測結果である発電電力の時系列データを微分することにより、グラフＧｓ１の傾きを示す１回微分データを作成する。
【００９８】  図１０は、本発明の実施の形態に係る判定装置における作成部により作成される１回微分データの一例を示す図である。図１０において、横軸は時間を示し、縦軸はグラフＧｓ１の微分値を示す。
【００９９】  図１０を参照して、作成部８３は、さらに、作成した１回微分データを示すグラフＧｓ２を微分することにより、グラフＧｓ２の傾きを示す２回微分データを作成する。
【０１００】  図１１は、本発明の実施の形態に係る判定装置における作成部により作成される２回微分データの一例を示す図である。図１１において、横軸は時間を示し、縦軸はグラフＧｓ２の微分値を示す。
【０１０１】  図１１を参照して、図９に示すグラフＧｓ１を２回微分することにより得られる２回微分データを示すグラフＧｓ３は、一定値、具体的にはゼロに近づく。
【０１０２】  ここで、対象発電部７８の設置場所における天候が晴れである場合、対象発電部７８の発電電力は安定して出力される傾向がある。一方、対象発電部７８の設置場所における天候が曇りである場合、太陽からの光が雲に遮られることが多く、対象発電部７８から出力される発電電力は安定しない傾向がある。
【０１０３】  このため、作成部８３は、たとえば、対象発電部７８の発電電力が安定して出力されているか否かを確認する。具体的には、作成部８３は、グラフＧｓ３の示すグラフＧｓ２の傾き、すなわちグラフＧｓ２の微分値が閾値Ｔｈ１〜閾値Ｔｈ２の範囲内であるか否かを確認することにより、当該対象発電部７８の設置場所における天候を推定する。閾値Ｔｈ１は、たとえば＋０．２であり、閾値Ｔｈ２は、たとえば−０．２である。
【０１０４】  図１１に示す例では、グラフＧｓ３の示すグラフＧｓ２の微分値が、＋０．２〜−０．２の範囲内である。この場合、作成部８３は、対象発電部７８の設置場所における天候が晴れであると推定する。そして、作成部８３は、推定した天候を示す天候情報を判定部８１へ出力する。
【０１０５】  （例２）  図１２は、本発明の実施の形態に係る判定装置における作成部により作成される発電電力データの他の一例を示す図である。図１２において、横軸は時間を示し、縦軸は処理日における対象発電部７８の発電電力の最大値に対する、対象発電部７８の発電電力の割合を示す。
【０１０６】  図１２を参照して、作成部８３は、作成した発電電力データを示すグラフＧｓ１１を微分することにより、グラフＧｓ１１の傾きを示す１回微分データを作成する。
【０１０７】  図１３は、本発明の実施の形態に係る判定装置における作成部により作成される１回微分データの他の一例を示す図である。図１３において、横軸は時間を示し、縦軸はグラフＧｓ１１の微分値を示す。
【０１０８】  図１３を参照して、作成部８３は、さらに、作成した１回微分データを示すグラフＧｓ１２を微分することにより、グラフＧｓ１２の傾きを示す２回微分データを作成する。
【０１０９】  図１４は、本発明の実施の形態に係る判定装置における作成部により作成される２回微分データの他の一例を示す図である。図１４において、横軸は時間を示し、縦軸はグラフＧｓ１２の微分値を示す。
【０１１０】  図１４に示す例では、グラフＧｓ１３の示すグラフＧｓ１２の微分値が、＋０．２〜−０．２の範囲を超えている。この場合、作成部８３は、対象発電部７８の設置場所における天候が曇りであると推定する。そして、作成部８３は、推定した天候を示す天候情報を判定部８１へ出力する。
【０１１１】  （例３）  図１５は、本発明の実施の形態に係る判定装置における作成部により作成される発電電力データおよび２回微分データの他の一例を示す図である。図１５において、横軸は時間を示し、縦軸は処理日における対象発電部７８の発電電力の最大値に対する、対象発電部７８の発電電力の割合、およびグラフＧｓ２１を２回微分した微分値を示す。
【０１１２】  図１５を参照して、作成部８３は、上述した例１および例２のように、処理日の１日全体の天候を推定する構成に限らず、処理日における１時間ごとの天候を推定する構成であってもよい。
【０１１３】  たとえば、作成部８３は、図１５に示すように、発電電力データを示すグラフＧｓ２１に対して２回微分することにより得られる、２回微分データを示すグラフＧｓ２３に基づいて、処理日における１時間ごとの天候を推定する。これにより、作成部８３は、たとえば、７時〜１０時までの天候は晴れであり、１０時〜１５時までの天候は曇りであり、１５時〜１７時までの天候は晴れであることを示す天候情報を作成する。
【０１１４】  また、作成部８３は、処理日における数時間ごとの天候を推定することにより、たとえば、午前の天候は晴れであり、午後の天候は曇りであることを示す天候情報を作成してもよい。
【０１１５】  なお、作成部８３は、グラフＧｓ１に対して２回微分を行う構成に限らず、グラフＧｓ１に対して、１回微分を行う構成であってもよいし、３回以上の微分を行う構成であってもよい。たとえば、作成部８３は、グラフＧｓ１の微分値が一定値に近づくまで、１回または複数回の微分を行う。
【０１１６】  また、作成部８３は、発電部７８の発電電力が安定して出力されているか否かを確認できればよく、グラフＧｓ１の微分値を一定値に近づかせるための微分を行う構成に限らない。
【０１１７】  また、作成部８３は、各発電部７８の発電電力に基づいて対象発電部７８を選択する構成に限らず、他の何らかの基準により対象発電部７８を選択してもよい。
【０１１８】  また、作成部８３は、複数の対象発電部７８を選択してもよい。たとえば、作成部８３は、太陽光発電システム４０１に含まれる複数の発電部７８が複数の区画に分かれて設置されている場合、区画ごとに対象発電部７８を１つずつ選択してもよい。
【０１１９】  また、作成部８３は、対象発電部７８を選択しない構成であってもよい。この場合、作成部８３は、たとえば、太陽光発電システム４０１に含まれる発電部７８ごとに、発電電力に基づいて天候情報を作成する。
【０１２０】  また、作成部８３は、天候情報を作成する構成に限らない。たとえば、作成部８３は、外部サーバから送信された、発電部７８の設置場所付近における天気予報の内容を示す天気予報情報を、天候情報として通信処理部８４経由で取得してもよい。
【０１２１】  また、作成部８３は、発電部７８の出力の計測結果すなわち発電電力の代わりに、たとえば、発電部７８の設置場所付近に設けられた日射計などの計測装置による計測結果に基づいて天候情報を作成してもよい。
【０１２２】  しかしながら、外部サーバから送信される天気予報情報の示す天気予報は、発電部７８の設置場所における天候と異なる可能性がある。また、計測装置の設置場所と発電部７８の設置場所とが異なる場合、計測装置による計測結果に基づく天候情報の示す天候は、発電部７８の設置場所における天候と異なる可能性がある。
【０１２３】  このため、作成部８３は、発電部７８の出力の計測結果に基づいて天候情報を作成する構成であることが好ましい。
【０１２４】  （ｃ）判定部  判定部８１は、作成部８３から出力された天候情報を受けて、当該天候情報に基づいて発電部７８の異常判定に用いる基準を決定する。そして、判定部８１は、決定した基準を用いて発電部７８の異常判定を行う。
【０１２５】  図１６は、本発明の実施の形態に係る判定装置における判定部による異常判定を説明するための図である。
【０１２６】  図１６を参照して、ここでは、作成部８３は、太陽光発電システム４０１に含まれる発電部７８ごとに、午前の天候および午後の天候を示す天候情報を作成し、作成した複数の天候情報を判定部８１へ出力したとする。
【０１２７】  この場合、判定部８１は、作成部８３から受けた複数の天候情報に基づいて、たとえば、太陽光発電システム４０１に含まれる複数の発電部７８を複数のグループに分類する。
【０１２８】  具体的には、ある発電部７８の発電電力の変動が午前の時間帯および午後の時間帯のいずれにおいても小さい場合、当該発電部７８に対応する天候情報は、終日晴れであることを示す。この場合、判定部８１は、当該発電部７８を「グループＧ１」に分類する。
【０１２９】  また、ある発電部７８の発電電力の変動が午前の時間帯において大きく、午後の時間帯において小さい場合、当該発電部７８に対応する天候情報は、午前が曇りであり午後が晴れであることを示す。この場合、判定部８１は、当該発電部７８を「グループＧ２」に分類する。
【０１３０】  また、ある発電部７８の発電電力の変動が午前の時間帯において小さく、午後の時間帯において大きい場合、当該発電部７８に対応する天候情報は、午前が晴れであり午後が曇りであることを示す。この場合、判定部８１は、当該発電部７８を「グループＧ３」に分類する。
【０１３１】  また、ある発電部７８の発電電力の変動が午前の時間帯および午後の時間帯のいずれにおいても大きい場合、当該発電部７８に対応する天候情報は、終日曇りであることを示す。この場合、判定部８１は、当該発電部７８を「グループＧ４」に分類する。
【０１３２】  ここで、発電部７８の発電電力は、当該発電部７８の設置場所における天候が晴れである場合、太陽からの光が直進することにより、陰による影響を受ける可能性が高い。一方、発電部７８の発電電力は、当該発電部７８の設置場所における天候が曇りである場合、太陽からの光が散乱することにより、陰による影響を受ける可能性が低い。このため、判定部８１は、発電部７８の属するグループごとに異なる判定基準を用いて、発電部７８の異常判定を行う。
【０１３３】  （グループＧ１に属する発電部の異常判定）  判定部８１は、グループＧ１に属する各発電部７８の異常判定に用いる基準Ｓｔを決定する。
【０１３４】  より詳細には、判定部８１は、たとえば、グループＧ１に属する各発電部７８の発電電力に基づいて、ｋ−ｍｅａｎｓを用いることにより、グループＧ１に属する１または複数の発電部７８を複数の判定グループに分類する。
【０１３５】  たとえば、判定部８１は、グループＧ１に属する１または複数の発電部７８を、午前に陰の影響を受ける傾向にある判定グループＧ１１と、午後に陰の影響を受ける傾向にある判定グループＧ１２とに分類する。そして、判定部８１は、同じ判定グループに属する各発電部７８の発電電力を比較する。
【０１３６】  具体的には、判定部８１は、判定グループＧ１１に属する各発電部７８の同一時刻における発電電力の平均値を１時間ごとに算出することにより、判定グループＧ１１の基準データを作成する。
【０１３７】  また、判定部８１は、たとえば、異常判定の判定対象となる発電部７８の処理日における発電電力の総和と、作成した基準データの示す発電電力の総和との差が所定の閾値以上であるか否かを基準Ｓｔとして決定する。そして、判定部８１は、判定グループＧ１１に属する各発電部７８の発電電力を、決定した基準Ｓｔを用いて比較することにより異常判定を行う。
【０１３８】  すなわち、判定部８１は、当該発電部７８の処理日における発電電力の総和と、基準データの示す発電電力の総和との差が所定の閾値以上である場合、当該発電部７８に異常が生じていると判定する。
【０１３９】  また、判定部８１は、判定グループＧ１２に属する各発電部７８の異常判定についても同様に行う。すなわち、判定部８１は、判定グループＧ１２に属する各発電部７８の異常判定を行う場合、たとえば、判定グループＧ１２に属する各発電部７８の同一時刻における発電電力の平均値を１時間ごとに算出することにより、判定グループＧ１２の基準データを作成する。
【０１４０】  また、判定部８１は、たとえば、異常判定の判定対象となる発電部７８の処理日における発電電力の総和と、作成した基準データの示す発電電力の総和との差が所定の閾値以上であるか否かを基準Ｓｔとして決定する。そして、判定部８１は、判定グループＧ１２に属する各発電部７８の発電電力を、決定した基準Ｓｔを用いて比較することにより異常判定を行う。
【０１４１】  すなわち、判定部８１は、当該発電部７８の処理日における発電電力の総和と、第２基準データの示す発電電力の総和との差が所定の閾値以上である場合、当該発電部７８に異常が生じていると判定する。
【０１４２】  （グループＧ２に属する発電部の異常判定）  また、判定部８１は、グループＧ２に属する各発電部７８の異常判定に用いる基準Ｓｔを決定する。
【０１４３】  より詳細には、判定部８１は、たとえば、グループＧ２に属する各発電部７８の発電電力であって、晴れの時間帯すなわち午後の時間帯における発電電力に基づいて、ｋ−ｍｅａｎｓを用いることにより、グループＧ２に属する１または複数の発電部７８を複数の判定グループに分類する。
【０１４４】  また、判定部８１は、たとえば、上述のグループＧ１に属する発電部７８の異常判定と同様に、判定グループごとに基準データを作成し、作成した基準データを用いて、判定グループごとの基準Ｓｔを決定する。そして、判定部８１は、判定グループごとに、決定した基準Ｓｔを用いて発電部７８の発電電力を比較することにより、異常判定を行う。
【０１４５】  （グループＧ３に属する発電部の異常判定）  また、判定部８１は、グループＧ３に属する各発電部７８の異常判定に用いる基準Ｓｔを決定する。
【０１４６】  より詳細には、判定部８１は、たとえば、グループＧ３に属する各発電部７８の発電電力であって、晴れの時間帯すなわち午前の時間帯における発電電力に基づいて、ｋ−ｍｅａｎｓを用いることにより、グループＧ３に属する１または複数の発電部７８を複数の判定グループに分類する。
【０１４７】  また、判定部８１は、たとえば、上述のグループＧ１に属する発電部７８の異常判定と同様に、判定グループごとに基準データを作成し、作成した基準データを用いて、判定グループごとの基準Ｓｔを決定する。そして、判定部８１は、判定グループごとに、決定した基準Ｓｔを用いて発電部７８の発電電力を比較することにより、異常判定を行う。
【０１４８】  （グループＧ４に属する発電部の異常判定）  また、判定部８１は、グループＧ４に属する各発電部７８の異常判定に用いる基準Ｓｔを決定する。
【０１４９】  より詳細には、判定部８１は、たとえば、グループＧ４に属する１または複数の発電部７８を複数の判定グループに分類せず、グループＧ４に属する各発電部７８の発電電力を比較する。
【０１５０】  具体的には、判定部８１は、たとえば、グループＧ４に属する各発電部７８の同一時刻における発電電力の平均値を１時間ごとに算出することにより、グループＧ４の基準データを作成する。
【０１５１】  そして、判定部８１は、異常判定の判定対象となる発電部７８の処理日における発電電力の総和と、作成した基準データの示す発電電力の総和との差が所定の閾値以上であるか否かを基準Ｓｔとして決定し、決定した基準Ｓｔ４を用いて、グループＧ４に属する各発電部７８の発電電力を比較することにより、異常判定を行う。
【０１５２】  なお、判定部８１による異常判定は、同じグループに属する各発電部７８の発電電力を比較する方法に限らない。たとえば、判定部８１は、ある発電部７８の異常判定を行う場合であって、当該発電部７８に対応する天候情報が終日晴れであることを示す場合、当該発電部７８のカタログ仕様値を基準Ｓｔとして、当該発電部７８の異常判定を行ってもよい。
【０１５３】（判定結果の通知）  判定部８１は、異常判定の判定結果を示す判定情報を通信処理部８４へ出力する。通信処理部８４は、判定部８１から受けた判定情報を、たとえば、ｅ−ｍａｉｌ等の形式にしてネットワーク経由でサーバ等の外部の装置へ送信する。
【０１５４】＜動作の流れ＞  監視システム３０１における各装置は、コンピュータを備え、当該コンピュータにおけるＣＰＵ等の演算処理部は、以下のフローチャートの各ステップの一部または全部を含むプログラムを図示しないメモリからそれぞれ読み出して実行する。これら複数の装置のプログラムは、それぞれ、外部からインストールすることができる。これら複数の装置のプログラムは、それぞれ、記録媒体に格納された状態で流通する。
【０１５５】  図１７は、本発明の実施の形態に係る判定装置の動作手順を定めたフローチャートである。
【０１５６】  図７および図１７を参照して、まず、計測結果取得部８２は、収集装置１５１から送信された１または複数の監視情報を通信処理部８４経由で受信し、受信した各監視情報に受信時刻を含めて記憶部８５に保存するとともに、処理完了通知を作成部８３へ出力する（ステップＳ１１）。
【０１５７】  次に、作成部８３は、計測結果取得部８２から出力された処理完了通知を受けて、記憶部８５に保存されている複数の監視情報を参照して、たとえば、発電部７８ごとに、発電電力の時系列変化を示す発電電力データを作成する（ステップＳ１２）。
【０１５８】  次に、作成部８３は、たとえば、発電部７８ごとに、作成した発電電力データを示すグラフＧｓ１に対して２回微分した結果が閾値Ｔｈ１〜閾値Ｔｈ２の範囲内であるか否かを確認することにより、発電電力が安定して出力されているか否かを確認する（ステップＳ１３）。
【０１５９】  次に、作成部８３は、たとえば、発電部７８ごとに、発電電力が安定して出力されているか否かの確認結果に基づいて設置場所における天候を推定し、推定した結果を示す天候情報を作成する。そして、作成部８３は、作成した天候情報を判定部８１へ出力する（ステップＳ１４）。
【０１６０】  次に、判定部８１は、たとえば、作成部８３から出力された複数の天候情報に基づいて、太陽光発電システム４０１に含まれる複数の発電部７８を複数のグループに分類する（ステップＳ１５）。
【０１６１】  次に、判定部８１は、分類したグループごとに、発電部７８の異常判定に用いる基準Ｓｔを決定する（ステップＳ１６）。
【０１６２】  次に、判定部８１は、グループごとに、決定した基準Ｓｔを用いて各発電部７８の異常判定を行い、異常判定の判定結果を示す判定情報を通信処理部８４へ出力する（ステップＳ１７）。
【０１６３】  次に、通信処理部８４は、判定部８１から受けた判定情報を、たとえばネットワーク経由でサーバ等の外部の装置へ送信する（ステップＳ１８）。
【０１６４】  ところで、太陽電池パネルを含む発電部の発電量は天候による影響を受けるため、発電部の設置場所における天候を把握して、より有効に利用することのできる技術が望まれる。
【０１６５】  これに対して、本発明の実施の形態に係る判定装置１０１では、取得部８６は、太陽電池パネルを含む発電部７８の設置場所における天候情報を取得する。そして、判定部８１は、取得部８６により取得された天候情報に基づいて、発電部７８の異常判定に用いる基準Ｓｔを決定し、決定した基準Ｓｔを用いて異常判定を行う。
【０１６６】  このような構成により、発電部７８の設置場所における天候に応じた内容の基準Ｓｔを用いて発電部７８の異常判定を行うことができるため、異常判定の精度を向上させることができる。
【０１６７】  したがって、本発明の実施の形態に係る判定装置１０１では、太陽電池パネルを含む発電部７８の設置場所における天候をより有効に利用することができる。
【０１６８】  また、本発明の実施の形態に係る判定装置１０１では、取得部８６は、発電部７８の出力の計測結果を取得し、取得した計測結果に基づいて天候情報を作成する。
【０１６９】  このように、発電部７８の発電実績に基づいて天候情報を作成する構成により、外部サーバから送信された天候情報などを取得する場合と比較して、当該発電部７８の設置場所におけるより正確な天候情報を取得することができる。
【０１７０】  また、本発明の実施の形態に係る判定装置１０１では、取得部８６は、計測結果を２回微分した結果に基づいて天候情報を作成する。
【０１７１】  このような構成により、発電部７８が発電電力を安定して出力しているか否かを容易に確認することができる。
【０１７２】  また、本発明の実施の形態に係る判定装置１０１では、判定部８１は、天候情報に基づいて、複数の発電部７８を複数のグループに分類し、グループごとに基準Ｓｔを決定し、同じグループに属する各発電部７８の出力の計測結果を、当該グループに対応する基準Ｓｔを用いて比較することにより、発電部７８の異常判定を行う。
【０１７３】  このように、天候による発電電力への影響が同様である発電部７８同士を比較して異常判定を行う構成により、複雑な演算処理を行うことなく、異常判定の精度を向上させることができる。
【０１７４】  また、本発明の実施の形態に係る判定方法では、まず、取得部８６が、太陽電池パネルを含む発電部７８の設置場所における天候情報を取得する。次に、判定部８１が、取得部８６により取得された天候情報に基づいて、発電部７８の異常判定に用いる基準Ｓｔを決定する。そして、判定部８１が、決定した基準Ｓｔを用いて発電部７８の異常判定を行う。
【０１７５】  このような方法により、発電部７８の設置場所における天候に応じた内容の基準Ｓｔを用いて発電部７８の異常判定を行うことができるため、異常判定の精度を向上させることができる。
【０１７６】  したがって、本発明の実施の形態に係る判定方法では、太陽電池パネルを含む発電部７８の設置場所における天候をより有効に利用することができる。
【０１７７】＜変形例＞  図７に示す計測結果取得部８２および作成部８３は、発電部７８の異常判定を行う判定装置１０１に含まれる構成に限らない。たとえば、計測結果取得部８２および作成部８３は、天候情報を外部の装置へ送信する天候情報処理装置に含まれてもよい。
【０１７８】［構成および基本動作］  図１８は、本発明の実施の形態の変形例に係る天候情報処理装置の構成を示す図である。
【０１７９】  図５および図１８を参照して、監視システム３０１は、判定装置１０１の代わりに、または判定装置１０１に加えて、天候情報処理装置１２１を含む。なお、天候情報処理装置１２１は、収集装置１５１に内蔵される構成であってもよいし、監視装置１１１に内蔵される構成であってもよい。また、天候情報処理装置１２１は、ネットワークを介して収集装置１５１等の他の装置と情報の送受信を行うサーバであってもよい。
【０１８０】  天候情報処理装置１２１は、たとえば、監視装置１１１から送信された１または複数の監視情報を収集装置１５１経由で受信し、受信した１または複数の監視情報に基づいて天候情報を作成する。
【０１８１】  より詳細には、天候情報処理装置１２１は、通信処理部９４と、記憶部９５と、取得部９６とを備える。取得部９６は、計測結果取得部９２と、作成部９３とを含む。計測結果取得部９２、作成部９３、通信処理部９４および記憶部９５の構成および動作は、それぞれ、以下で説明する内容を除き、図７に示す計測結果取得部８２、作成部８３、通信処理部８４および記憶部８５の構成および動作と同様である。
【０１８２】  作成部９３は、記憶部９５に保存されている複数の監視情報を参照して、たとえば、処理日における各発電部７８の発電電力の時系列変化を示す発電電力データを作成する。そして、作成部８３は、作成した発電電力データに基づいて、たとえば、発電部７８ごとに、設置場所における天候を推定し、推定した天候を示す天候情報を作成する。
【０１８３】  また、作成部９３は、作成した１または複数の天候情報を通信処理部９４へ出力する。
【０１８４】  通信処理部９４は、作成部９３から出力された１または複数の天候情報を受信し、受信した１または複数の天候情報を、たとえば、ｅ−ｍａｉｌ等の形式にしてネットワーク経由でサーバ等の外部の装置へ送信する。
【０１８５】［動作の流れ］  図１９は、本発明の実施の形態の変形例に係る天候情報処理装置の動作手順を定めたフローチャートである。
【０１８６】  図１８および図１９を参照して、まず、計測結果取得部９２は、収集装置１５１から送信された１または複数の監視情報を通信処理部９４経由で受信し、受信した各監視情報に受信時刻を含めて記憶部９５に保存するとともに、処理完了通知を作成部９３へ出力する（ステップＳ２１）。
【０１８７】  次に、作成部９３は、計測結果取得部９２から出力された処理完了通知を受けて、記憶部９５に保存されている複数の監視情報を参照して、たとえば、発電部７８ごとに、発電電力の時系列変化を示す発電電力データを作成する（ステップＳ２２）。
【０１８８】  次に、作成部９３は、たとえば、発電部７８ごとに、作成した発電電力データを示すグラフＧｓ１に対して２回微分した結果が閾値Ｔｈ１〜閾値Ｔｈ２の範囲内であるか否かを確認することにより、発電電力が安定して出力されているか否かを確認する（ステップＳ２３）。
【０１８９】  次に、作成部９３は、たとえば、発電部７８ごとに、発電電力が安定して出力されているか否かの確認結果に基づいて設置場所における天候を推定し、推定した結果を示す天候情報を作成する（ステップＳ２４）。
【０１９０】  そして、作成部９３は、作成した天候情報を、たとえばネットワーク経由でサーバ等の外部の装置へ通信処理部９４経由で送信する（ステップＳ２５）。
【０１９１】  このように、本発明の実施の形態の変形例に係る天候情報処理装置１２１では、計測結果取得部８２は、太陽電池パネルを含む発電部７８の出力の計測結果を取得する。そして、作成部８３は、計測結果取得部８２により取得された計測結果に基づいて、発電部７８の設置場所における天候情報を作成する。
【０１９２】  このような構成により、たとえば、発電部７８の出力の計測結果に基づいて、当該発電部７８が発電電力を安定して出力しているか否かを確認することにより、より正確な天候情報を作成することができる。このため、より正確な天候情報を外部サーバ等へ送信することができる。
【０１９３】  したがって、本発明の実施の形態の変形例に係る天候情報処理装置１２１では、太陽電池パネルを含む発電部７８の設置場所における天候をより有効に利用することができる。
【０１９４】  また、本発明の実施の形態の変形例に係る天候情報処理方法では、まず、計測結果取得部８２が、太陽電池パネルを含む発電部７８の出力の計測結果を取得する。そして、作成部８３が、計測結果取得部８２により取得された計測結果に基づいて、発電部７８の設置場所における天候情報を作成する。
【０１９５】  このような方法により、たとえば、発電部７８の出力の計測結果に基づいて、当該発電部７８が発電電力を安定して出力しているか否かを確認することにより、より正確な天候情報を作成することができる。このため、より正確な天候情報を外部サーバ等へ送信することができる。
【０１９６】  したがって、本発明の実施の形態の変形例に係る天候情報処理方法では、太陽電池パネルを含む発電部７８の設置場所における天候をより有効に利用することができる。
【０１９７】  上記実施の形態は、すべての点で例示であって制限的なものではないと考えられるべきである。本発明の範囲は、上記説明ではなく請求の範囲によって示され、請求の範囲と均等の意味および範囲内でのすべての変更が含まれることが意図される。
【０１９８】  以上の説明は、以下に付記する特徴を含む。  ［付記１］  太陽電池パネルを含む発電部の設置場所における天候情報を取得する取得部と、  前記取得部により取得された前記天候情報に基づいて、前記発電部の異常判定に用いる基準を決定し、決定した前記基準を用いて前記異常判定を行う判定部とを備え、  前記取得部は、前記発電部の出力の計測結果の時系列データを微分することにより、前記出力が安定しているか否かを確認し、前記出力が安定している場合は晴れを示す前記天候情報を作成し、前記出力が安定していない場合は曇りを示す前記天候情報を作成する、判定装置。
【０１９９】  ［付記２］  太陽電池パネルを含む発電部の出力の計測結果を取得する計測結果取得部と、  前記計測結果取得部により取得された前記計測結果に基づいて、前記発電部の設置場所における天候情報を作成する作成部とを備え、  前記計測結果取得部は、前記出力の計測結果の時系列データを微分することにより、前記出力が安定しているか否かを確認し、前記出力が安定している場合は晴れを示す前記天候情報を作成し、前記出力が安定していない場合は曇りを示す前記天候情報を作成する、天候情報処理装置。
【符号の説明】
【０２００】  １  出力ライン  １ｐ  プラス側出力ライン  １ｎ  マイナス側出力ライン  ２，４，５  集約ライン  ５ｐ  プラス側集約ライン  ５ｎ  マイナス側集約ライン  ３  内部ライン  ６  キュービクル  ７  銅バー  ８  ＰＣＳ  ９  電力変換部  １１  検出処理部  １４  通信部  １６  電流センサ  １７  電圧センサ  ２６  電源線  ２６ｐ  プラス側電源線  ２６ｎ  マイナス側電源線  ４６  信号線  ６０  集電ユニット  ７１  集電箱  ７２，７３，７７  銅バー  ７７ｐ  プラス側銅バー  ７７ｎ  マイナス側銅バー  ７４  太陽電池ユニット  ７６  接続箱  ７８  発電部  ７９，７９Ａ，７９Ｂ，７９Ｃ，７９Ｄ  太陽電池パネル  ８０  ＰＣＳユニット  ８１  判定部  ８２，９２  計測結果取得部  ８３，９３  作成部  ８４，９４  通信処理部  ８５，９５  記憶部  ８６，９６  取得部  １０１  判定装置  １１１  監視装置  １２１  天候情報処理装置  １５１  収集装置  ３０１  監視システム  ４０１  太陽光発電システム
【図１】
2019187523.tif 000003
【図２】
2019187523.tif 000004
【図３】
2019187523.tif 000005
【図４】
2019187523.tif 000006
【図５】
2019187523.tif 000007
【図６】
2019187523.tif 000008
【図７】
2019187523.tif 000009
【図８】
2019187523.tif 000010
【図９】
2019187523.tif 000011
【図１０】
2019187523.tif 000012
【図１１】
2019187523.tif 000013
【図１２】
2019187523.tif 000014
【図１３】
2019187523.tif 000015
【図１４】
2019187523.tif 000016
【図１５】
2019187523.tif 000017
【図１６】
2019187523.tif 000018
【図１７】
2019187523.tif 000019
【図１８】
2019187523.tif 000020
【図１９】
2019187523.tif 000021
【国際調査報告】
2019187523.tif 000022
2019187523.tif 000023
2019187523.tif 000024
2019187523.tif 000025